(57)【要約】【課題】  表示部筐体が保持ベースに対してスライド（並進）しつつスイング（回転）する構造を備えた電子機器であって、簡易な構造で防水効果を奏することができる電子機器を提供する。【解決手段】  電子機器５５０は、保持ベース２上に、少なくとも一部が重なる状態で可動筐体３を並進しつつ回転するように、前記可動筐体３を取り付ける並進・回転取付ユニット１と、前記保持ベース２の裏面であって、前記並進・回転取付ユニット１が設けられた領域に配置され、蛇腹形状を有する防水パッキン５５０と、を含むことを特徴とする。【選択図】  図３
2010226654.tif 000002
【特許請求の範囲】
【請求項１】
保持ベース上に、少なくとも一部が重なる状態で可動筐体を並進しつつ回転するように、前記可動筐体を取り付ける並進・回転取付ユニットと、
前記保持ベースの裏面であって、前記並進・回転取付ユニットが設けられた領域に配置され、蛇腹形状を有する防水パッキンと、を含むことを特徴とする電子機器。
【請求項２】
請求項１又は２記載の電子機器であって、
前記防水パッキンの中央部分に開口部が形成されており、
前記防水パッキンの外周部分から前記開口部において、半径方向に前記蛇腹形状が形成されることを特徴とする電子機器。
【請求項３】
請求項２記載の電子機器であって、
前記並進・回転取付ユニットは、前記保持ベースに取り付けられるベース板と、前記可動筐体に取り付けられる板カムと、を有し、
前記ベース板と前記板カムとは、直線上に移動自在な連結ピンにより、互いに並進且つ回転するように連結されており、
前記防水パッキンの外周縁部が、前記並進・回転取付ユニットが露出している箇所よりも外側に位置し、且つ、前記防水パッキンの前記開口部の周縁部が前記連結ピンに形成された穴部の周縁上に位置するように、前記防水パッキンは前記保持ベースの裏面に取り付けられることを特徴とする電子機器。
【請求項４】
請求項３記載の電子機器であって、
前記防水パッキンは、前記連結ピンの同一面内での並進・回転運動に伴い、同一面内で変形することを特徴とする電子機器。
【請求項５】
請求項２乃至５いずれか一項記載の電子機器であって、
前記蛇腹形状は、前記防水パッキンの前記半径方向に、正弦波又は余弦波状に形成された箇所を有することを特徴とする電子機器。
【請求項６】
請求項２乃至６いずれか一項記載の電子機器であって、
前記蛇腹の山および谷は、断面が半円形状であり、前記蛇腹部分を、前記半円を接続させてなることを特徴とする電子機器。
【発明の詳細な説明】
【技術分野】
【０００１】
本発明は、電子機器に関する。
【背景技術】
【０００２】
携帯電話機やノートパソコン等の電子機器において、表示部を有する薄型の表示部筐体は、一般に縦長（例えば携帯電話機）又は横長（例えばノートパソコン）の形状を有する。そして、表示部筐体が縦長又は横長の状態に固定されていると、表示画面を見たり、或いは見ながら入力作業をするときに、使い勝手が悪い場合がある。即ち、文書作成や表作成等の入力作業時及びそれらの結果並びに画像等を表示画面上で見るときに、入力作業の種類や表示対象によっては、横長画面が適する場合と縦長画面が適する場合とがある。
【０００３】
そこで、上述の電子機器においては、表示部筐体を、キーボード等が装備してあるベース筐体に対して可動筐体とし、当該表示部筐体を所定の支持軸を中心に９０度回転させることができる構造にし、縦長状態と横長状態とに変換して使用できる態様が提案されている。
【０００４】
また、ベース筐体の一端部に取り付けられた保持ベース上に、一部が重なる状態で表示部筐体がスライド（並進）しつつスイング（回転）するように取り付けられ、当該表示部筐体を左右（正逆両方向）に回転することができる態様も提案されている。かかる構造においては、表示部筐体が所定の支持軸を中心に回転しない動きをするため、装置全体として小型化することができる一方、大画面を有する表示部筐体を実現することができる。
【０００５】
なお、上部筐体と下部筐体とにより構成されており、前記上部筐体と前記下部筐体とがフレキシブルプリント配線板によって電気的に接続されている折り畳み型携帯電話機であって、前記フレキシブルプリント配線板を保護するとともに、前記上部筐体及び前記下部筐体の両方に連結されている蛇腹形状の蛇腹状連結部材を有する折り畳み型携帯電話機が提案されている。
【先行技術文献】
【特許文献】
【０００６】
【特許文献１】特開２００６−１９８５３号公報
【発明の概要】
【発明が解決しようとする課題】
【０００７】
ところで、上述の電子機器は、例えば雨の日や風呂場や炊事場等で使用されることも少なくない。従って、上述の電子機器には、防水機能を有することが要求されることがある。例えば、表示部筐体を所定の支持軸を中心に９０度回転させることができる態様にあっては、当該支持軸の周囲にＯリングを設けて防水効果を奏することできる。
【０００８】
しかしながら、表示部筐体がスライド（並進）しつつスイング（回転）する態様にあっては、水が、表示部筐体と当該表示部筐体が取り付けられる保持ベースとの隙間から、表示部筐体をスライド（並進）させつつスイング（回転）させる機構内を介して、保持ベースの内部に浸入するおそれがある。保持ベースの内部には、表示筐体部に接続されたケーブルや、回路部品等が設けられるため、前記ケーブルや前記回路部品等を確実に防水することが求められる。しかるに、表示部筐体は保持ベース上に一部が重なる状態で取り付けられているため、単純にＯリングを設けるだけの構造では防水機能として不十分である。一方、防水効果を奏するために、複雑な装置や部品を保持ベースに設けたのでは、電子機器の小型化を阻害することになる。
【０００９】
そこで、本発明は、上記の点に鑑みてなされたものであって、表示部筐体が保持ベースに対してスライド（並進）しつつスイング（回転）する構造を備えた電子機器であって、簡易な構造で防水効果を奏することができる電子機器を提供することを本発明の目的とする。
【課題を解決するための手段】
【００１０】
本発明の実施の形態の一観点によれば、保持ベース上に、少なくとも一部が重なる状態で可動筐体を並進しつつ回転するように、前記可動筐体を取り付ける並進・回転取付ユニットと、前記保持ベースの裏面であって、前記並進・回転取付ユニットが設けられた領域に配置され、蛇腹形状を有する防水パッキンと、を含むことを特徴とする電子機器が提供される。
【発明の効果】
【００１１】
本発明によれば、表示部筐体が保持ベースに対してスライド（並進）しつつスイング（回転）する構造を備えた電子機器であって、簡易な構造で防水効果を奏することができる電子機器を提供することができる。
【図面の簡単な説明】
【００１２】
【図１】本発明の実施の形態に係る折り畳み式携帯電話機の外観図である。
【図２】図１に示す並進・回転取付ユニットの分解斜視図である。
【図３】保持ベースに取り付けられた防水パッキンを示す図である。
【図４】図３に示す防水パッキンの斜視図である。
【図５】防水パッキンの、図４の点線Ｂ−Ｂにおける断面図である。
【図６】保持ベースにおける防水パッキンの取り付け箇所を説明するための図である。
【図７】可動筐体が基準姿勢にあるときの防水パッキンの状態を示す図である。
【図８】可動筐体が基準姿勢にあるときの折り畳み式携帯電話機を示す図である。
【図９】可動筐体が基準姿勢にあるときの並進・回転取付ユニットを示す図である。
【図１０】可動筐体を基準姿勢から反時計方向に回転させているときの防水パッキンの状態を示す図（その１）である。
【図１１】可動筐体を基準姿勢から反時計方向に回転させているときの防水パッキンの状態を示す図（その２）である。
【図１２】可動筐体を基準姿勢から反時計方向へ４５度回転させたときの折り畳み式携帯電話機を示す図である。
【図１３】可動筐体を基準姿勢から反時計方向へ４５度回転させたときの並進・回転取付ユニットを示す図である。
【図１４】可動筐体を基準姿勢から反時計方向へ４５度回転させたときの防水パッキンの状態を示す図である。
【図１５】可動筐体を基準姿勢から反時計方向へ９０度回転させたときの折り畳み式携帯電話機を示す図である。
【図１６】可動筐体を基準姿勢から反時計方向へ９０度回転させたときの並進・回転取付ユニットを示す図である。
【図１７】可動筐体を反時計方向に回転させているときの防水パッキンの状態を示す図（その１）である。
【図１８】可動筐体を反時計方向に回転させているときの防水パッキンの状態を示す図（その２）である。
【図１９】可動筐体を基準姿勢から反時計方向へ９０度回転させたときの防水パッキンの状態を示す図である。
【図２０】本発明の実施の形態の第１の変形例に係る防水パッキンの部分拡大断面図である。
【図２１】本発明の実施の形態の第２の変形例に係る防水パッキンの断面図である。
【図２２】本発明の実施の形態の第３の変形例に係る防水パッキンを示す図である。
【図２３】本発明の実施の形態の第４の変形例に係る防水パッキンを示す図である。
【図２４】本発明の実施の形態の第５の変形例に係る防水パッキンを示す図である。
【発明を実施するための形態】
【００１３】
以下、図面を参照しつつ、本発明の電子機器の一例として折り畳み式携帯電話機について説明する。
【００１４】
図１に、本発明の実施の形態に係る折り畳み式携帯電話機を示す。本発明の実施の形態に係る折り畳み式携帯電話機５００は、可動筐体３、ベース筐体４、及び保持ベース２等から大略構成される。可動筐体３は、図示を省略する受話部及び表示部を有する。また、ベース筐体４は、図示を省略する送話部、テンキーや操作ボタン等の入力部、電池を収容する電池収容部等を有する。
【００１５】
ベース筐体４の一端部には、保持ベース２が、ベース筐体４へ重なった状態から約１５０乃至約１７０度開いた状態まで折畳み可能にヒンジ５を介して連結されている。そして、可動筐体３が、保持ベース２に対しスライド（並進）しつつスイング（回転）するように、並進・回転取付ユニット１を介して保持ベース２に取り付けられている。
【００１６】
図２に、並進・回転取付ユニット１の分解斜視図を示す。並進・回転取付ユニット１は、保持ベース２と可動筐体３との対向面において、ベース板１０と板カム１１を有する。ベース板１０は、保持ベース２へ取り付けられ、板カム１１は可動筐体３へ取り付けられる。
【００１７】
ベース板１０の略中央には、可動筐体２の基本使用モード（縦長表示モード）である基準姿勢において上下方向に沿うスリット又は溝からなるスライドガイド１００が形成されている。また、ベース板１０のスライドガイド１００の下端部延長上には、板カム１１側へ突出するガイドピン１０１が取り付けられている。
【００１８】
板カム１１には、スライドガイド１００へ抜け止め状態で並進可能且つ回転可能に係合される連結ピン１２が設けられている。板カム１１とベース板１０は、連結ピン１２により互いに並進且つ回転するように連結されている。
【００１９】
連結ピン１２は、軸方向へ連続する中空部１２ａを有するとともに、一端部にフランジ状の係止部１２ｂを有する。中空部１２ａ内には、可動筐体３の表示部に接続されたケーブル（図示を省略）が設けられる。係止部１２ｂは、ベース板１０のスライドガイド１００の両側部へ抜け止め状に係止される状態で当該スライドガイド１００に通され、その他端部を板カム１１の取付孔１１５へ挿入固定する（例えばかしめる）ことにより、板カム１１へ取り付けられている。
【００２０】
板カム１１の外周には、第１の凹部１１０、第２の凹部１１１、及び第３の凹部１１２が形成されている。可動筐体３が基準姿勢のときに、ガイドピン１０１が第１の凹部１１０に案内される。可動筐体３が基準姿勢から一方向（時計方向）へ９０度回転したときに、ガイドピン１０１が第２の凹部１１１に案内される。可動筐体３が基準姿勢から他方向（反時計方向）へ９０度回転したときに、ガイドピン１０１が第３の凹部１１２に案内される。
【００２１】
また、第１の凹部１１０と第２の凹部１１１との間には凸部１１３が形成され、第１の凹部１１０と第３の凹部１１２との間には凸部１１４が形成されている。凸部１１３の外周部と凸部１１４の外周部は、板カム１１が回転するときガイドピン１０１と連続的に摺接する。
【００２２】
ベース板１０には、板カム１１を常時下方へ（板カム１１へ可動筐体３の荷重が作用する方向へ）付勢する付勢部材１３が設けられている。
【００２３】
並進・回転取付ユニット１により、可動筐体３は以下の様に保持ベース２に並進しつつ回転するように取り付けられる。
【００２４】
先ず、付勢部材１３の付勢力を板カム１１へ作用させる状態で、ベース板１０と板カム１１とを、連結ピン１２により互いに並進可能且つ回転可能に連結する。
【００２５】
次いで、保持ベース２の裏側から保持ベース２の底板２０に設けられた螺子ガイド２ａへ螺子１０ａを通し、螺子１０ａによりベース板１０を保持ベース２へ固定する。他方、板カム１１は、可動筐体３の表面側から可動筐体３の底板３０に設けられた螺子ガイド３ａに螺子１１ａを通し、螺子１１ａにより可動筐体３の裏側へ固定する。
【００２６】
保持ベース２への可動筐体３の取付けは、取付け後に可動筐体３が回転するときに可動筐体３の下端部がヒンジ５へ接触しない（干渉しない）状態でなされる。
【００２７】
かかる構造を有する折り畳み式携帯電話機５００において、保持ベース２の裏面（図２において矢印Ａで示す方向から見たときの面）上に、防水パッキン５５０が設けられている。これについて、図３及び図７を参照して説明する。
【００２８】
図３は、保持ベース２の裏面保護カバー（図示を省略）を取ったとき状態において、保持ベース２を当該裏面（図２において矢印Ａで示す方向から見たときの面）側から見たときの斜視図である。図３に示すように、保持ベース２から裏面保護カバー（図示を省略）を取って、並進・回転取付ユニット１が部分的に露出した面上に、防水パッキン５５０が、接着剤（図示を省略）を介して取り付けられている。
【００２９】
図４に、防水パッキン５５０の斜視図を示し、図５に、図４に示す防水パッキン５５０の点線Ｂ−Ｂにおける断面図を示す。
【００３０】
防水パッキン５５０は、例えばゴム、エラストマー等の防水性を持つ弾性体を含む。防水パッキン５５０は平面視略円形形状を有し、略中央部分に略円形状を有する開口部Ｏｐが形成されている。そして、防水パッキン５５０の外周部分から開口部Ｏｐにおいて、半径方向に蛇腹形状が形成されている。当該蛇腹の断面形状は、例えば半径方向に正弦波状に蛇腹の山および谷が、平面視同心円状に形成されてなる形状である。本例では例えば蛇腹の山および谷は７個形成され、蛇腹の山および谷の間の長さ（図４において矢印Ｈで示す長さ）として約２．０ｍｍが設定されている。
【００３１】
次に、図６及び図７を参照して、保持ベース２におけるパッキン５５０の取り付けについて説明する。
【００３２】
図６は、可動筐体３を基準姿勢から時計方向に約４０度回転させた状態において、可動筐体３を裏面（図２において矢印Ａで示す方向から見たときの面）側から見たときの斜視図である。説明の便宜上、図６において防水パッキン５５０の図示は省略している。
【００３３】
図６において梨地模様を付した箇所、即ち、保持ベース２の裏面上における前記並進・回転取付ユニット１が設けられた領域に、接着剤を介して防水パッキン５５０が取り付けられる。具体的には、防水パッキン５５０は、防水パッキン５５０の外周縁部５５０−１が、並進・回転取付ユニット１が部分的に露出している箇所よりも外側に位置し、且つ、防水パッキン５５０の開口部の周縁部５５０−２が連結ピン１２の中空部１２ａの周縁上に位置するように、接着剤を介して保持ベース２に取り付けられる。
【００３４】
本例の折り畳み式携帯電話機５００においては、可動筐体３と可動筐体３が取り付けられる保持ベース２との隙間から、水が、並進・回転取付ユニット１に形成されたスリット又は溝からなるスライドガイド１００を介して保持ベース２の内部に浸入するおそれがある。しかしながら、仮に水が浸入してきたとしても、並進・回転取付ユニット１上に、保持ベース２に取り付けられた防水パッキン５００が設けられているため、保持ベース２に水が浸入することが防止される。
【００３５】
従って、可動筐体３の表示部に接続され、連結ピン１２の中空部１２ａ内に設けられたケーブル（図示を省略）や、保持ベース内に設けられる回路部品等に水が付着することはなく、前記ケーブルや前記回路部品等を確実に防水することができる。
【００３６】
なお、前記接着剤として、例えば、ＤＩＣ株式会社製の＃８６２５ＨＰＷ等、防水性を有する両面テープを用いてもよい。
【００３７】
防水パッキン５５０は、可動筐体３を基準姿勢から約５ｍｍ上方に並進させた状態で、図６において梨地模様を付した箇所に接着剤を介して取り付けられる。そして、防水パッキン５５０の取り付け後、可動筐体３を約５ｍｍ下方に並進させ、可動筐体３を基準姿勢に戻したときの防水パッキン５５０の状態を図７に示す。
【００３８】
なお、図７、図１０、図１１、図１４、及び図１７乃至図１９は、可動筐体３の並進・回転操作に伴う防水パッキン５５０の形状変化のシミュレーション結果を示す図である。図７、図１０、図１１、図１４、及び図１７乃至図１９の上方側が、図３のＸ１方向側に相当し、図７、図１０、図１１、図１４、及び図１７乃至図１９の下方側が、図３のＸ２方向側に相当する。また、図７、図１０、図１１、図１４、及び図１７乃至図１９において、防水パッキン５５０の開口部Ｏｐ内に記載された点線が直交する点が、防水パッキン５５０の中心点Ｃである。
【００３９】
図７に示すように、可動筐体３が基準姿勢にあるときは、防水パッキン５５０は保持ベース２に取り付けられた状態から変形している。即ち、防水パッキン５５０において、開口部Ｏｐよりも上側の部分の蛇腹部分は伸長しているのに対し、開口部Ｏｐよりも下側の蛇腹部分は折り畳まれている。
【００４０】
防水パッキン５５０が図７に示す状態にあるときは、折り畳み式携帯電話機５００は、図８に示すように可動筐体２の基本使用モード（縦長表示モード）にある。このとき、スライド・回転取付けユニット１は、図９に示すように、ベース板１０のガイドピン１０１が板カム１１の第１の凹部１１０へ案内された態にある。また、連結ピン１２はスライドガイド１１０の下端部分に位置する。
【００４１】
次に、可動筐体３を基準姿勢から反時計方向へ９０度回転させた横長の表示モードへ変換するために、可動筐体３を、ディスプレイ側から（図１において矢印Ｄで示す方向に）見て左に倒し始める。即ち、可動筐体３を保持ベース２に沿って押し上げながら（又は持ち上げながら）反時計方向へ回転させる。このとき、連結ピン１２はスライドガイド１００に沿って上方へ移動しながら回転する。即ち、連結ピン１２の並進と回転の運動が同時に生じる。
【００４２】
その結果、防水パッキン５５０は、図１０に示すように、開口部Ｏｐよりも上側の部分の蛇腹部分が折り畳まれ始め、一方、開口部Ｏｐよりも下側の蛇腹部分が伸長し始める。そして、可動筐体３を基準姿勢から約５ｍｍ上方に並進させて、図６において梨地模様を付した箇所に接着剤を介して取り付けられたときの状態を経て、図１１に示すように、開口部Ｏｐよりも上側の部分の蛇腹部分の折り畳み、及び、開口部Ｏｐよりも下側の蛇腹部分の伸長が更に進行する。また、開口部Ｏｐの左右側の蛇腹部分は歪んでいる。
【００４３】
図１２に示すように、可動筐体３を基準姿勢から反時計方向へ４５度回転すると、図１３に示すように、摺動・回転取付ユニット１の連結ピン１２は最上位に位置すると共に、ガイドピン１０１は、第１及び第３の凹部１１０、１１２間の周方向への凸部１１４の突端へ摺接した状態になる。
【００４４】
このとき、防水パッキン５５０は、図１４に示すように、開口部Ｏｐよりも上側の部分の蛇腹部分は最も折り畳まれ、一方、開口部Ｏｐよりも下側の蛇腹部分は最も伸長した状態にある。また、開口部Ｏｐの左右側の蛇腹部分は歪んでいる。
【００４５】
上述のように、防水パッキン５５０は、可動筐体３を基準姿勢から約５ｍｍ上方に並進させた状態で、図６において梨地模様を付した箇所に接着剤を介して取り付けられている。従って、図１３に示すように、摺動・回転取付ユニット１の連結ピン１２が最上位に位置しても、防水パッキン５５０の変位量は最小限で済んでいる。
【００４６】
図１２に示す状態から、可動筐体３を僅かに反時計方向へ回転させると、図１５及び図１６に示すように、付勢部材１３と重力の作用により、可動筐体３は、板カム１１と共に反時計方向へ９０度まで一気に回転する。即ち、ガイドピン１０１が板カム１１の第３の凹部１１２へ案内されることにより可動筐体３が停止し、可動筐体３は横長姿勢に変換する。連結ピン１２はスライドガイド１００に沿って下方へ移動しながら回転する。即ち、連結ピン１２の並進と回転の運動が同時に生じる。
【００４７】
一方、防水パッキン５５０は、図１２に示す状態から、可動筐体３を僅かに反時計方向へ回転させると、図１７及び図１８に示すように、開口部Ｏｐよりも上側の部分の蛇腹部分は伸長し始め、一方、開口部Ｏｐよりも下側の蛇腹部分は折り畳まれ始める。また、開口部Ｏｐの左右側の蛇腹部分は歪んでいる。図１７は、可動筐体３を基準姿勢から反時計方向へ約７０度回転させたときの防水パッキン５５０の状態を示している。図１８は、可動筐体３を基準姿勢から反時計方向へ約８０度回転させたときの防水パッキン５５０の状態を示している。
【００４８】
そして、可動筐体３を基準姿勢から反時計方向へ約９０度回転させると、図１９に示すように、防水パッキン５５０は、開口部Ｏｐよりも上側の部分の蛇腹部分が伸長し、開口部Ｏｐよりも下側の蛇腹部分が折り畳まれ、また、開口部Ｏｐの左右側の蛇腹部分は歪んだ状態となる。
【００４９】
なお、可動筐体３を縦長姿勢に変換するには、図１５に示す状態から可動筐体３を時計方向へ４５度を超える量回転させると、可動筐体３は９０度倒れた状態となり、図８に示す基準姿勢に復帰し、ガイドピン１０１が第１の凹部１１０へ案内される。また、可動筐体３を図８に示す基準姿勢から時計方向へ９０度回転した姿勢に変換するときは、可動筐体３を上記とは逆方向に操作すればよく、ガイドピン１０１が第２の凹部１１１へ案内される。
【００５０】
このように、防水パッキン５５０は、同一平面内で並進運動（直線運動）と回転運動の双方の動きを行う連結ピン１２に対応して、蛇腹部分が同一平面内で並進し変形する。
【００５１】
即ち、防水パッキン５５０は、連結ピン１２の運動に基づき、同一平面内における並進方向に蛇腹部分を折り畳むことによって移動する。そして、連結ピン１２の回転に対しては、防水パッキン５５０を蛇腹形状にすることによって形成される余長と、防水パッキン５５０を構成する材料の弾性に基づき、防水パッキン５５０は形状を変形させて対応することができる。
【００５２】
即ち、蛇腹部分を有する防止パッキン５５０を連結ピン１２と同一平面内に取り付け、連結ピン１２の動作に伴い、同一平面内で当該蛇腹部分を並進し変形させている。従って、可動筐体３を保持ベース２に対し並進・回転させ、連結ピン１２が並進・回転しても、可動筐体３と保持ベース２との隙間からスライドガイド１００を介して浸入してきた水が、保持ベース２に浸入することは防止される。従って、当該防水パッキン５５０により、自由度の高い防水構造が形成される。
【００５３】
また、上述のように、防水パッキン５５０を蛇腹形状により、連結ピン１２の回転に基づいて防水パッキン５５０の形状が変形するときの余長が構成されている。よって、蛇腹の山および谷の間の長さ（図４において矢印Ｈで示す長さ）を短くでき、折り畳み式携帯電話機５００の厚さを薄くすることができる。
【００５４】
また、弾性材料を含む防水パッキン５５０は、形状を当該蛇腹形状に対応させた金型を用いて大量に製造することができるため、防水パッキン５５０の製造コストを低く抑えることができる。
【００５５】
ところで、上述の例では、防水パッキン５５０は、の蛇腹の断面形状は、半径方向に正弦波状に蛇腹の山および谷が、平面視同心円状に形成されてなる形状であり、蛇腹の山および谷は７個形成され、蛇腹の山および谷の間の長さ（図４において矢印Ｈで示す長さ）として約２．０ｍｍが設定されていた。しかしながら、本発明において、防水パッキンの蛇腹の断面はかかる例に限定されない。
【００５６】
例えば、図２０に示す防水パッキン６００のように、蛇腹の山および谷を、それぞれ半円形状とし、当該半円を接続させた断面形状としてもよい。また、図２１に示す防水パッキン６５０のように、蛇腹の断面形状を、半径方向に余弦波状に蛇腹の山および谷が、平面視同心円状に形成されてなる形状としてもよい。また、防水パッキンの蛇腹の断面形状は、図５、図２０、及び図２１に示す例を組み合わせて接続して形成される形状であってもよい。
【００５７】
更に、防水パッキンの蛇腹の山および谷の形成数および蛇腹の山および谷の間の長さ（図４において矢印Ｈで示す長さ）も適宜設定し得る。例えば、図２２及び図２３に示す防水パッキンを採用することができる。
【００５８】
図２２及び図２３は、本発明の実施の形態の第３及び第４の変形例に係る防水パッキンを示す図である。図２２及び図２３において、（ａ）は、外力が作用していない初期状態を示す。（ｂ）は、当該防水パッキンを折り畳み式携帯電話機５００の保持ベース２に取り付け、更に、可動筐体３（図１参照）が基準姿勢にあるときの防水パッキンを示す。（ｃ）は、可動筐体３を基準姿勢から反時計方向へ４５度回転させたときの防水パッキンの状態を示す。（ｄ）は、可動筐体３を基準姿勢から反時計方向へ９０度回転させたときの防水パッキンの状態を示す図である。
【００５９】
図２２に示す防水パッキン７００は、平面視略円形形状を有し、略中央部分に略円形状を有する開口部Ｏｐが形成されている。そして、防水パッキン７００の外周部分から開口部Ｏｐにおいて、半径方向に蛇腹形状が形成されている。当該蛇腹の断面形状は、半径方向に正弦波状に蛇腹の山および谷が、平面視同心円状に形成されてなる形状である。蛇腹の山および谷は５個形成され、蛇腹の山および谷の間の長さ（図４において矢印Ｈで示す長さ）として約３．４ｍｍが設定されている。
【００６０】
即ち、図２２に示す防水パッキン７００は、図４及び図５等に示す防水パッキン５５０に比し、蛇腹の山および谷の形成数が小さい一方、蛇腹の山および谷の間の長さ（図４において矢印Ｈで示す長さ）は長い。つまり、蛇腹部分の変形の自由度を高めるべく、図２２に示す防水パッキン７００においては、連結ピン１２（図３参照）の並進・回転動作に基づいて防水パッキン７００の形状が変形するときの余長を、図４及び図５等に示す防水パッキン５５０よりも多くもたせている。従って、図２２に示すように、防水パッキン７００は、余長が多めにある分、可動筐体３の並進・回転動作に伴い、余裕をもって（無理なく）変形する。
【００６１】
図２３に示す防水パッキン７５０は、平面視略円形形状を有し、略中央部分に略円形状を有する開口部Ｏｐが形成されている。そして、防水パッキン７５０の外周部分から開口部Ｏｐにおいて、半径方向に蛇腹形状が形成されている。当該蛇腹の断面形状は、半径方向に正弦波状に蛇腹の山および谷が、平面視同心円状に形成されてなる形状である。蛇腹の山および谷は９個形成され、蛇腹の山および谷の間の長さ（図４において矢印Ｈで示す長さ）として約１．６ｍｍが設定されている。
【００６２】
即ち、図２３に示す防水パッキン７５０は、図４及び図５等に示す防水パッキン５５０に比し、蛇腹の山および谷の形成数が大きい一方、蛇腹の山および谷の間の長さ（図４において矢印Ｈで示す長さ）は短い。従って、防水パッキン７５０の厚さは図４及び図５等に示す防水パッキン５５０に比し薄く、折り畳み式携帯電話機５００の厚さを一層薄くすることができる。また、図２３に示すように、本例においても、連結ピン１２（図３参照）の並進・回転動作に基づいて防水パッキン７５０の形状が変形するため、可動筐体３と保持ベース２との隙間からスライドガイド１００を介して浸入してきた水が、保持ベース２に浸入することは防止される。
【００６３】
ところで、図４及び図５等に示す防水パッキン５５０の、蛇腹の断面形状は、半径方向に蛇腹の山および谷が形成されているが、防水パッキンの円周方向にも蛇腹の山および谷を重畳的に形成してもよい。これについて、図２４を参照して説明する。
【００６４】
図２４は、本発明の実施の形態の第５の変形例に係る防水パッキンを示す図である。図２４において、（ａ）は、外力が作用していない初期状態を示す。（ｂ）は、当該防水パッキンを折り畳み式携帯電話機５００の保持ベース２に取り付け、可動筐体３を基準姿勢から反時計方向へ回転させたときの防水パッキンの状態を示す。
【００６５】
図２４に示す防水パッキン８００は、平面視略円形形状を有し、略中央部分に略円形状を有する開口部Ｏｐが形成されている。そして、防水パッキン８００の外周部分から開口部Ｏｐにおいて、半径方向に蛇腹形状が形成されている。当該蛇腹の断面形状は、半径方向に正弦波状に蛇腹の山および谷が、平面視同心円状に形成されてなる形状である。当該蛇腹の山および谷は５個形成されている。更に、防水パッキン８００の円周方向にも蛇腹の山および谷が重畳的に１２個形成されている。
【００６６】
このように、図２４に示す防水パッキン８００においては、防水パッキン８００の半径方向に加え、防水パッキン８００の円周方向、即ち、回転方向にも蛇腹の山および谷が形成されて、防水パッキン８００に余長をもたせている。従って、図４及び図５等に示す防水パッキン５５０に比し、防水パッキン８００の円周方向における変形の自由度が増している。よって、連結ピン１２（図３参照）の並進・回転動作に基づいて防水パッキン８００の形状が変形するときに、防水パッキン８００の厚さが増すことを抑えることができ、余裕をもった（無理のない）防水パッキン８００の変形を実現することができる。
【００６７】
以上、本発明の実施の形態について詳述したが、本発明は特定の実施形態に限定されるものではなく、特許請求の範囲に記載された本発明の要旨の範囲内において、種々の変形及び変更が可能である。
【００６８】
例えば、上述の例では、本発明の電子機器の一例として折り畳み式携帯電話機について説明したが、ベース筐体に対し可動する可動筐体を備えたノートパソコン等の他の電子機器についても本発明を適用することができる。
【符号の説明】
【００６９】
１              並進・回転取付ユニット
２              保持ベース
３              可動筐体
１０            ベース板
１１            板カム
１２            連結ピン
５００          折り畳み式携帯電話
５５０、６００、６５０、７００、７５０、８００      防水パッキン
Ｏｐ            開口部
【図１】
2010226654.tif 000003
【図２】
2010226654.tif 000004
【図３】
2010226654.tif 000005
【図５】
2010226654.tif 000006
【図６】
2010226654.tif 000007
【図８】
2010226654.tif 000008
【図９】
2010226654.tif 000009
【図１２】
2010226654.tif 000010
【図１３】
2010226654.tif 000011
【図１５】
2010226654.tif 000012
【図１６】
2010226654.tif 000013
【図２０】
2010226654.tif 000014
【図２１】
2010226654.tif 000015
【図４】
2010226654.tif 000016
【図７】
2010226654.tif 000017
【図１０】
2010226654.tif 000018
【図１１】
2010226654.tif 000019
【図１４】
2010226654.tif 000020
【図１７】
2010226654.tif 000021
【図１８】
2010226654.tif 000022
【図１９】
2010226654.tif 000023
【図２２】
2010226654.tif 000024
【図２３】
2010226654.tif 000025
【図２４】
2010226654.tif 000026